(57)【要約】【課題】吸入器に簡単に取り付けることができ、利用者による吸入動作を判定することが可能な吸入判定装置を提供する。【解決手段】利用者Ｐによる吸入器９を用いた薬剤の吸入を判定する吸入判定装置１は、薬剤を吸入するための吸入器９に設けられた吸い口部９ａに対する利用者Ｐの咥え動作を判定する咥え動作判定部１１と、咥え動作判定部１１によって咥えられていると判定した後、利用者Ｐによる吸入動作を判定する吸入動作判定部１２と、を備える。【選択図】図２
2020006039.tif 000002
【特許請求の範囲】
【請求項１】
利用者による吸入器を用いた薬剤の吸入を判定する吸入判定装置であって、
薬剤を吸入するための前記吸入器に設けられた吸い口部に対する利用者の咥え動作を判定する咥え動作判定手段と、
前記咥え動作判定手段によって咥えられていると判定した後、前記利用者による吸入動作を判定する吸入動作判定手段と、
を備えること、
を特徴とする吸入判定装置。
【請求項２】
請求項１に記載の吸入判定装置において、
前記咥え動作判定手段及び前記吸入動作判定手段のうち少なくとも一方の判定結果を報知する報知手段を備えること、
を特徴とする吸入判定装置。
【請求項３】
請求項２に記載の吸入判定装置において、
前記吸入動作判定手段は、前記咥え動作判定手段によって咥えられていると判定してから所定時間内に、前記利用者による吸入動作があったか否かを判定し、
前記報知手段は、前記所定時間内に前記利用者による吸入動作を判定できなかった場合に、報知をすること、
を特徴とする吸入判定装置。
【請求項４】
請求項１から請求項３までのいずれかに記載の吸入判定装置において、
前記咥え動作判定手段及び前記吸入動作判定手段のうち少なくとも一方の判定結果を、通信手段を介して外部装置に送信する判定結果送信手段を備えること、
を特徴とする吸入判定装置。
【請求項５】
請求項１から請求項４までのいずれかに記載の吸入判定装置において、
前記吸い口部の近傍に設けられた第１検出部を備え、
前記咥え動作判定手段は、前記第１検出部による検出データを用いて、前記利用者の咥え動作を判定すること、
を特徴とする吸入判定装置。
【請求項６】
請求項５に記載の吸入判定装置において、
前記第１検出部は、前記利用者が咥える部分に設けられた温度を検出する温度検出部と、前記利用者が咥えた場合の前記利用者の口内の位置に設けられ、光量を検出する光量検出部とを含むものであること、
を特徴とする吸入判定装置。
【請求項７】
請求項１から請求項６までのいずれかに記載の吸入判定装置において、
前記吸い口部の近傍に設けられた音取得部と、
吸入時の基準音を記憶した基準音記憶部と、
前記咥え動作判定手段によって咥えられていると判定してから一定時間の音を、前記音取得部によって取得する音取得手段と、
を備え、
前記吸入動作判定手段は、前記音取得手段によって取得した音と、前記基準音記憶部に記憶された前記基準音とを比較して、比較結果に基づいて前記利用者による吸入動作を判定すること、
を特徴とする吸入判定装置。
【請求項８】
請求項７に記載の吸入判定装置において、
前記吸入動作判定手段により吸入動作が正しいと判定された場合に、前記音取得手段が取得した音を、取得音記憶部に記憶する取得音記憶手段を備え、
前記吸入動作判定手段は、次に前記音取得手段によって取得した音と、前記取得音記憶部に記憶された前記音とを比較して、比較結果に基づいて前記利用者による吸入動作を判定すること、
を特徴とする吸入判定装置。
【請求項９】
請求項７に記載の吸入判定装置において、
前記音取得手段が取得した音を、取得音記憶部に記憶する取得音記憶手段を備え、
前記吸入動作判定手段は、前記音取得手段によって取得した音と、前記取得音記憶部に記憶された前記音とを比較した結果、差分が生じた場合には、異常値と判定すること、
を特徴とする吸入判定装置。
【請求項１０】
請求項１から請求項９までのいずれかに記載の吸入判定装置において、
前記吸入器の前記吸い口部の外側面に取り付けが可能であること、
を特徴とする吸入判定装置。
【請求項１１】
請求項１から請求項１０までのいずれかに記載の吸入判定装置において、
前記利用者の胸回りに装着され、第２検出部を備えた胸帯を備え、
前記吸入動作判定手段は、前記第２検出部による検出結果によって、前記利用者による吸入動作を判定すること、
を特徴とする吸入判定装置。
【請求項１２】
請求項１から請求項１１までのいずれかに記載の吸入判定装置において、
前記吸入動作判定手段による判定の後、気体の成分を判定する呼気判定手段を備えること、
を特徴とする吸入判定装置。
【発明の詳細な説明】
【技術分野】
【０００１】
本発明は、主に利用者による吸入器を用いた薬剤の吸入を判定する吸入判定装置に関する。
【背景技術】
【０００２】
従来、例えば、喘息等の呼吸器系患者の治療において、吸入器を用いた薬剤の投薬が行われている。通常、自宅等において患者である利用者自らが吸入器を咥えて吸入動作をすることで、利用者の体内に薬剤が投薬される。ここで、利用者による吸入器の取扱いが的確であるか否かが問題になる。利用者は、吸入器による投薬を、自宅等の病院以外の場所で行う。そのため、医師や看護師等は、患者の投薬状況を確認できない。つまり、医師等は、後から吸入器を確認することで薬剤が減っていることは確認できるものの、利用者の症状が改善しない場合に、薬剤が効いていないためなのか、それとも、吸入が的確にできていないためなのか、といった判別ができない。また、利用者自らも、吸入が的確に行われているかを確認する術がない。
【０００３】
そこで、吸入装置の流路における液滴を検出することによって、患者である利用者に情報を知らせる吸入装置が開示されている（例えば、特許文献１）。
【先行技術文献】
【特許文献】
【０００４】
【特許文献１】特許第４４７４３１８号公報
【発明の概要】
【発明が解決しようとする課題】
【０００５】
上述の吸入装置は、利用者による吸入が開始されると、負圧センサによる負圧状況によって液剤吐出が開始されるといった専用の装置であった。そのため、市場に流通している吸入器を、そのまま使用することができなかった。
そこで、本発明は、吸入器に簡単に取り付けることができ、利用者による吸入動作を判定することが可能な吸入判定装置を提供することを目的とする。
【課題を解決するための手段】
【０００６】
本発明は、以下のような解決手段により、前記課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００７】
第１の発明は、利用者による吸入器を用いた薬剤の吸入を判定する吸入判定装置であって、薬剤を吸入するための前記吸入器に設けられた吸い口部に対する利用者の咥え動作を判定する咥え動作判定手段と、前記咥え動作判定手段によって咥えられていると判定した後、前記利用者による吸入動作を判定する吸入動作判定手段と、を備えること、を特徴とする吸入判定装置である。
第２の発明は、第１の発明の吸入判定装置において、前記咥え動作判定手段及び前記吸入動作判定手段のうち少なくとも一方の判定結果を報知する報知手段を備えること、を特徴とする吸入判定装置である。
第３の発明は、第２の発明の吸入判定装置において、前記吸入動作判定手段は、前記咥え動作判定手段によって咥えられていると判定してから所定時間内に、前記利用者による吸入動作があったか否かを判定し、前記報知手段は、前記所定時間内に前記利用者による吸入動作を判定できなかった場合に、報知をすること、を特徴とする吸入判定装置である。
第４の発明は、第１の発明から第３の発明までのいずれかの吸入判定装置において、前記咥え動作判定手段及び前記吸入動作判定手段のうち少なくとも一方の判定結果を、通信手段を介して外部装置に送信する判定結果送信手段を備えること、を特徴とする吸入判定装置である。
第５の発明は、第１の発明から第４の発明までのいずれかの吸入判定装置において、前記吸い口部の近傍に設けられた第１検出部を備え、前記咥え動作判定手段は、前記第１検出部による検出データを用いて、前記利用者の咥え動作を判定すること、を特徴とする吸入判定装置である。
第６の発明は、第５の発明の吸入判定装置において、前記第１検出部は、前記利用者が咥える部分に設けられた温度を検出する温度検出部と、前記利用者が咥えた場合の前記利用者の口内の位置に設けられ、光量を検出する光量検出部とを含むものであること、を特徴とする吸入判定装置である。
第７の発明は、第１の発明から第６の発明までのいずれかの吸入判定装置において、前記吸い口部の近傍に設けられた音取得部と、吸入時の基準音を記憶した基準音記憶部と、前記咥え動作判定手段によって咥えられていると判定してから一定時間の音を、前記音取得部によって取得する音取得手段と、を備え、前記吸入動作判定手段は、前記音取得手段によって取得した音と、前記基準音記憶部に記憶された前記基準音とを比較して、比較結果に基づいて前記利用者による吸入動作を判定すること、を特徴とする吸入判定装置である。
第８の発明は、第７の発明の吸入判定装置において、前記吸入動作判定手段により吸入動作が正しいと判定された場合に、前記音取得手段が取得した音を、取得音記憶部に記憶する取得音記憶手段を備え、前記吸入動作判定手段は、次に前記音取得手段によって取得した音と、前記取得音記憶部に記憶された前記音とを比較して、比較結果に基づいて前記利用者による吸入動作を判定すること、を特徴とする吸入判定装置である。
第９の発明は、第７の発明の吸入判定装置において、前記音取得手段が取得した音を、取得音記憶部に記憶する取得音記憶手段を備え、前記吸入動作判定手段は、前記音取得手段によって取得した音と、前記取得音記憶部に記憶された前記音とを比較した結果、差分が生じた場合には、異常値と判定すること、を特徴とする吸入判定装置である。
第１０の発明は、第１の発明から第９の発明までのいずれかの吸入判定装置において、前記吸入器の前記吸い口部の外側面に取り付けが可能であること、を特徴とする吸入判定装置である。
第１１の発明は、第１の発明から第１０の発明までのいずれかの吸入判定装置において、前記利用者の胸回りに装着され、第２検出部を備えた胸帯を備え、前記吸入動作判定手段は、前記第２検出部による検出結果によって、前記利用者による吸入動作を判定すること、を特徴とする吸入判定装置である。
第１２の発明は、第１の発明から第１１の発明までのいずれかの吸入判定装置において、前記吸入動作判定手段による判定の後、気体の成分を判定する呼気判定手段を備えること、を特徴とする吸入判定装置である。
【発明の効果】
【０００８】
本発明によれば、吸入器に簡単に取り付けることができ、利用者による吸入動作を判定することが可能な吸入判定装置を提供することができる。
【図面の簡単な説明】
【０００９】
【図１】第１実施形態に係る吸入判定装置を説明するための図である。
【図２】第１実施形態に係る吸入判定装置の機能ブロックを示す図である。
【図３】第１実施形態に係る吸入判定装置のメイン処理を示すフローチャートである。
【図４】第１実施形態に係る吸入判定装置の咥え動作判定処理を示すフローチャートである。
【図５】第１実施形態に係る吸入判定装置の吸入動作判定処理を示すフローチャートである。
【図６】第２実施形態に係る吸入判定装置を説明するための図である。
【図７】第２実施形態に係る吸入判定装置の機能ブロックを示す図である。
【図８】第２実施形態に係る吸入判定装置のメイン処理を示すフローチャートである。
【図９】第２実施形態に係る吸入判定装置の吸入動作判定処理を示すフローチャートである。
【図１０】第２実施形態に係る吸入判定装置の呼気判定処理を示すフローチャートである。
【発明を実施するための形態】
【００１０】
以下、本発明を実施するための形態について、図を参照しながら説明する。なお、これは、あくまでも一例であって、本発明の技術的範囲はこれに限られるものではない。
（第１実施形態）
＜吸入判定装置１＞
図１は、第１実施形態に係る吸入判定装置１を説明するための図である。
図２は、第１実施形態に係る吸入判定装置１の機能ブロックを示す図である。
【００１１】
図１（Ａ）に示す吸入判定装置１は、吸入器９の吸い口部９ａの近傍であって、利用者Ｐが口で咥える部分に設けられた装置である。吸入判定装置１は、利用者Ｐにより行う吸入器９による吸入が、的確に行われたか否かを判定する。吸入器９は、この例では、薬剤が入ったエアゾール缶Ｄを装着するものである。しかし、吸入器９は、これに限定するものではなく、例えば、粉末薬剤を用いるものであってもよい。
【００１２】
図１（Ｂ）は、吸入器９を吸い口部９ａ側から見た図である。図１（Ｂ）に示すように、吸入判定装置１は、吸い口部９ａの外周（外側面）に嵌合されて設けられている。ここで、吸入器９は、市場で流通している一般的なものである。そして、吸入判定装置１は、吸入器９を交換した場合には、前の吸入器９から取り外し、新たな吸入器９に取り付けが可能である。
図１（Ｃ）に示すように、利用者Ｐは、吸入器９の吸い口部９ａが下方向であり、エアゾール缶Ｄが上方向の姿勢になるように吸入器９を手で持ち、吸い口部９ａを咥えたままの状態で薬剤を吸入する。
【００１３】
図２に示すように、吸入判定装置１は、制御部１０と、記憶部２０と、電源ボタン３０と、スピーカ３１と、マイク３２（音取得部）と、センサ部３３（第１検出部）とを備える。
制御部１０は、吸入判定装置１の全体を制御するＣＰＵ（中央処理装置）である。制御部１０は、記憶部２０に記憶されているアプリケーションプログラム等を適宜読み出して実行することにより、上述したハードウェアと協働し、各種機能を実行する。
制御部１０は、咥え動作判定部１１（咥え動作判定手段）と、吸入動作判定部１２（音取得手段、吸入動作判定手段）と、報知部１３（報知手段）と、取得音記憶制御部１４（取得音記憶手段）とを備える。
【００１４】
咥え動作判定部１１は、この吸入判定装置１を、利用者Ｐが的確に咥えたか否かを判定する。より具体的には、咥え動作判定部１１は、例えば、後述するセンサ部３３からの検出データに基づいて、咥え動作が的確であるか否かを判定する。
吸入動作判定部１２は、咥え動作判定部１１により咥え動作が的確であると判定された場合に、利用者Ｐによって次に行われる吸入動作が的確であるか否かを判定する。より具体的には、吸入動作判定部１２は、例えば、吸入動作に伴って利用者Ｐの口内で発生する音を取得し、取得した音に基づいて、吸入動作が的確であるか否かを判定する。
【００１５】
報知部１３は、咥え動作判定部１１及び吸入動作判定部１２による判定結果を、利用者Ｐに対して報知する。報知部１３は、判定結果を、例えば、スピーカ３１から出力する音声によって報知する。なお、報知部１３は、咥え動作判定部１１及び吸入動作判定部１２のうち少なくとも一方の判定結果を、利用者Ｐに対して報知してもよい。また、報知部１３は、判定結果によって、動作が的確ではない場合にのみ、利用者Ｐに対して報知してもよい。さらに、報知部１３は、咥え動作を判定してから所定時間内に吸入動作を検知しなかった場合にも、利用者Ｐに対して報知してもよい。
取得音記憶制御部１４は、吸入動作判定部１２によって吸入動作が的確であると判定された場合に、吸入時の取得音を記憶する。
なお、これらの各機能の詳細については、後述する。
【００１６】
記憶部２０は、制御部１０を実行するために必要なプログラム、データ等を記憶するための半導体メモリ素子等の記憶領域である。
記憶部２０は、プログラム記憶部２１と、基準音記憶部２２と、取得音記憶部２３と、ガイド音声記憶部２４とを備える。
プログラム記憶部２１は、制御部１０の各機能を実行するためのプログラムを記憶する記憶領域である。
【００１７】
基準音記憶部２２は、基準音を記憶する記憶領域である。ここで、基準音とは、吸入時に生じる音であって、適切に吸入した際の吸入音をいう。基準音記憶部２２は、適切に吸入した際の吸入音を複数収集して、収集した複数の吸入音を学習した学習データを、基準音として記憶してもよい。また、基準音記憶部２２は、吸入音を周波数分析して得られた結果データを、基準音として記憶してもよい。
取得音記憶部２３は、利用者Ｐによる吸入動作に伴って生じた音を記憶する記憶領域である。取得音記憶部２３は、利用者Ｐによる吸入動作が的確であると判定された場合に、吸入動作時に取得した取得音を記憶する。
【００１８】
つまり、基準音記憶部２２は、複数の利用者から取得した吸入音を学習した学習結果データを記憶する。そのため、基準音記憶部２２に記憶されたものは、平準化した一般的な音データである。他方、取得音記憶部２３は、利用者Ｐの吸入音のデータを記憶する。そのため、取得音記憶部２３に記憶されたものは、利用者Ｐの固有の音データである。
ガイド音声記憶部２４は、利用者Ｐに動作を促したり、報知したりするガイド音声を記憶する記憶領域である。
【００１９】
電源ボタン３０は、この吸入判定装置１の電源を投入し、又は、電源を切断するためのものである。利用者Ｐが電源ボタン３０を操作することで、図示しないバッテリから電力が供給され、吸入判定装置１が処理可能な状態になる。なお、電源の切断は、操作を受付ずとも、特定時間が経過したことに応じて自動的に行われてもよい。
スピーカ３１は、ガイド音声を出力する装置である。スピーカ３１は、吸入判定装置１が取り付けられた吸入器９を利用者Ｐが咥えた場合に、スピーカ３１は、咥えた口の部分より外側に設けられるのが望ましい。
マイク３２は、音を受け付ける装置である。吸入判定装置１が取り付けられた吸入器９を利用者Ｐが咥えた場合に、マイク３２は、利用者Ｐの口内に位置する部分に設けられるのが望ましい。
【００２０】
センサ部３３は、温度センサ３３ａ（温度検出部）と、光量センサ３３ｂ（光量検出部）とを備える。
温度センサ３３ａは、温度を検出し、検出データを制御部１０に出力する。温度センサ３３ａは、吸入判定装置１が取り付けられた吸入器９を利用者Ｐが咥えた場合に、咥えた口の唇部分に設けられるのが望ましい。
光量センサ３３ｂは、光量を検出し、検出データを制御部１０に出力する。光量センサ３３ｂは、吸入判定装置１が取り付けられた吸入器９を利用者Ｐが咥えた場合に、利用者Ｐの口内に位置する部分に設けられるのが望ましい。
【００２１】
なお、コンピュータとは、制御部、記憶装置等を備えた情報処理装置をいい、吸入判定装置１は、制御部１０、記憶部２０等を備えた情報処理装置であり、コンピュータの概念に含まれる。
【００２２】
＜処理の説明＞
次に、吸入判定装置１での処理について説明する。
図３は、第１実施形態に係る吸入判定装置１のメイン処理を示すフローチャートである。
図４は、第１実施形態に係る吸入判定装置１の咥え動作判定処理を示すフローチャートである。
図５は、第１実施形態に係る吸入判定装置１の吸入動作判定処理を示すフローチャートである。
【００２３】
図３に示すメイン処理は、吸入判定装置１の電源ボタン３０（図２参照）を利用者Ｐが操作をすることで、吸入判定装置１の電源が投入（ＯＮ）されて開始される。
図３のステップＳ（以下、単に「Ｓ」という。）１０において、制御部１０（報知部１３）は、ガイド音声記憶部２４に記憶された処理開始時のガイド音声を出力する。処理開始時のガイド音声は、例えば、「吸入器を咥えてください。」といったものである。
この音声を聞いた利用者Ｐは、吸入器９の吸い口部９ａを咥える動作を行う。
Ｓ１１において、制御部１０（咥え動作判定部１１）は、咥え動作判定処理を行う。
【００２４】
ここで、咥え動作判定処理について、図４に基づき説明する。
図４のＳ２０において、制御部１０は、時間の計測を開始する。
Ｓ２１において、制御部１０（咥え動作判定部１１）は、温度センサ３３ａが検出した検出データである検出値を、温度センサ３３ａから取得する。
Ｓ２２において、制御部１０（咥え動作判定部１１）は、検出値による温度が閾値内であるか否かを判定する。ここで、利用者Ｐが吸入器９の吸い口部９ａを咥えたならば、利用者Ｐの唇部分に設けられた温度センサ３３ａは、体温に近似した温度を検出する。よって、閾値としては、例えば、３０℃（度）以上、３８℃以下等とすることができる。検出値による温度が閾値内である場合（Ｓ２２：ＹＥＳ）には、制御部１０は、処理をＳ２３に移す。他方、検出値による温度が閾値内ではない場合（Ｓ２２：ＮＯ）には、制御部１０は、処理をＳ２６に移す。
【００２５】
Ｓ２３において、制御部１０（咥え動作判定部１１）は、光量センサ３３ｂが検出した検出データである検出値を、光量センサ３３ｂから取得する。
Ｓ２４において、制御部１０（咥え動作判定部１１）は、検出値による光量が閾値以下であるか否かを判定する。ここで、利用者Ｐが吸入器９の吸い口部９ａを的確に咥えたならば、利用者Ｐの口内に設けられた光量センサ３３ｂは、外部からの光が遮断された位置にあるため、光量を検出できないか、ごく少ない光量を検出する。他方、利用者Ｐが吸入器９の吸い口部９ａを的確に咥えておらず、隙間等があれば、閾値より多い光量を検出する。検出値による光量が閾値以下である場合（Ｓ２４：ＹＥＳ）には、制御部１０は、処理をＳ２５に移す。他方、検出値による光量が閾値内ではない場合（Ｓ２４：ＮＯ）には、制御部１０は、処理をＳ２６に移す。
【００２６】
Ｓ２５において、制御部１０（咥え動作判定部１１）は、咥え動作が的確であると判定する。その後、制御部１０は、本処理を終了し、処理を図３のＳ１２に移す。
他方、Ｓ２６において、制御部１０（咥え動作判定部１１）は、第１時間を経過したか否かを判断する。ここで、第１時間とは、利用者Ｐが吸入器９の吸い口部９ａを咥えるまでの時間であり、例えば、１０秒等が設定されている。第１時間を経過した場合（Ｓ２６：ＹＥＳ）には、制御部１０は、処理をＳ２７に移す。他方、第１時間を経過していない場合（Ｓ２６：ＮＯ）には、制御部１０は、処理をＳ２１に移す。
Ｓ２７において、制御部１０（咥え動作判定部１１）は、咥え動作が的確ではないと判定する。その後、制御部１０は、本処理を終了し、処理を図３のＳ１２に移す。
【００２７】
図３のＳ１２において、制御部１０は、咥え動作判定処理によって判定した咥え動作が的確であるか否かを判断する。咥え動作が的確である場合（Ｓ１２：ＹＥＳ）には、制御部１０は、処理をＳ１３に移す。他方、咥え動作が的確ではない場合（Ｓ１２：ＮＯ）には、制御部１０は、処理をＳ１９に移す。
Ｓ１３において、制御部１０（報知部１３）は、ガイド音声記憶部２４に記憶された次の処理のガイド音声を出力する。次の処理のガイド音声は、例えば、「吸入してください。」といったものである。
この音声を聞いた利用者Ｐは、吸入器９の吸い口部９ａを咥えたままの状態で吸入動作を行う。
Ｓ１４において、制御部１０（吸入動作判定部１２）は、吸入動作判定処理を行う。
【００２８】
ここで、吸入動作判定処理について、図５に基づき説明する。
図５のＳ３０において、制御部１０は、時間の計測を開始する。
Ｓ３１において、制御部１０（吸入動作判定部１２）は、一定時間の音を、マイク３２から取得する。
Ｓ３２において、制御部１０（吸入動作判定部１２）は、取得した音を、基準音記憶部２２に記憶された基準音と比較する。そして、制御部１０（吸入動作判定部１２）は、比較の結果、取得した音が基準音に近似したものであるか否かを判定する。この処理では、例えば、取得した音を基準音と比較してスコアを算出し、算出したスコアによって近似しているか否かを判定する。また、音の比較は、音を周波数分析することで得られる周波数データを比較するものであってもよい。そして、利用者Ｐが適切な吸入動作をすれば、取得した音が基準音に近似したものになる。しかし、利用者Ｐが吸入動作を開始していなかったり、吸入力が低かったりした場合には、取得した音は、基準音に近似しないものになる。取得した音が基準音に近似したものである場合（Ｓ３２：ＹＥＳ）には、制御部１０は、処理をＳ３３に移す。他方、取得した音が基準音に近似したものではない場合（Ｓ３２：ＮＯ）には、制御部１０は、処理をＳ３８に移す。
【００２９】
Ｓ３３において、制御部１０（吸入動作判定部１２）は、取得音記憶部２３に音データが記憶されているか否かを判断する。この吸入判定装置１を初めて使用した場合には、取得音記憶部２３に音データが記憶されていない。また、この吸入判定装置１を複数回使用していても、取得した音が基準音に近似したものではない場合には、取得音記憶部２３に音データが記憶されていない。他方、この吸入判定装置１を１回以上取得し、取得した音が基準音に近似したものである場合には、後述するように取得音記憶部２３に音データが記憶されている。取得音記憶部２３に音データが記憶されている場合（Ｓ３３：ＹＥＳ）には、制御部１０は、処理をＳ３４に移す。他方、取得音記憶部２３に音データが記憶されていない場合（Ｓ３３：ＮＯ）には、制御部１０は、処理をＳ３５に移す。
【００３０】
Ｓ３４において、制御部１０（吸入動作判定部１２）は、取得した音を、取得音記憶部２３に記憶された取得音と比較する。そして、制御部１０（吸入動作判定部１２）は、比較の結果、取得した音が取得音に近似したものであるか否かを判定する。この処理では、基準音との比較と同様に、例えば、取得した音を、記憶された取得音と比較してスコアを算出し、算出したスコアによって近似しているか否かを判定する。取得した音が、取得音記憶部２３の取得音に近似したものである場合（Ｓ３４：ＹＥＳ）には、制御部１０は、処理をＳ３５に移す。他方、取得した音が、取得音記憶部２３の取得音に近似したものではない場合（Ｓ３４：ＮＯ）には、制御部１０は、処理をＳ３９に移す。
【００３１】
Ｓ３５において、制御部１０（吸入動作判定部１２）は、吸入動作が的確であると判定する。
Ｓ３６において、制御部１０（取得音記憶制御部１４）は、取得した音を、取得音記憶部２３に記憶させる。その後、制御部１０は、本処理を終了し、処理を図３のＳ１５に移す。
【００３２】
他方、Ｓ３８において、制御部１０（吸入動作判定部１２）は、第２時間（所定時間）を経過したか否かを判断する。ここで、第２時間とは、利用者Ｐが吸入器９の吸い口部９ａを咥えた後、吸入動作をするまでの猶予の時間であり、例えば、１０秒等である。第２時間を経過した場合（Ｓ３８：ＹＥＳ）には、制御部１０は、処理をＳ３９に移す。他方、第２時間を経過していない場合（Ｓ３８：ＮＯ）には、制御部１０は、処理をＳ３１に移す。
Ｓ３９において、制御部１０（吸入動作判定部１２）は、吸入動作が的確ではないと判定する。その後、制御部１０は、本処理を終了し、処理を図３のＳ１５に移す。
【００３３】
図３のＳ１５において、制御部１０は、吸入動作判定処理によって判定した吸入動作が的確であるか否かを判断する。吸入動作が的確である場合（Ｓ１５：ＹＥＳ）には、制御部１０は、本処理を終了する。なお、その際、制御部１０は、的確に吸入動作ができた旨を音声出力してもよい。他方、吸入動作が的確ではない場合（Ｓ１５：ＮＯ）には、制御部１０は、処理をＳ１９に移す。
Ｓ１９において、制御部１０（報知部１３）は、咥え動作及び吸入動作のうち、該当の動作が的確ではない旨を、音声出力によって報知する。その後、制御部１０は、本処理を終了する。
【００３４】
このように、第１実施形態によれば、吸入判定装置１は、以下のような効果がある。
（１）吸入器９の吸い口部９ａの外周面に装着するものであるので、市場に流通している吸入器９に適用できる。また、吸入器９を交換した場合にも、吸入判定装置１を付け替えればよいため、使い勝手がよい。さらに、吸入器９の吸い口部９ａに装着するものであるので、小型の装置にできる。
（２）咥え動作が的確であるか否かを判定し、咥え動作が的確である場合に、次に、吸入動作が的確であるかを判定する。よって、吸入動作が的確であれば、咥え動作からの一連の動作が的確であると判断でき、その結果、薬剤を体内に的確に吸入できたものと判断できる。
（３）咥え動作が的確ではないと判定された場合や、吸入動作が的確ではないと判定された場合には、報知することで、利用者Ｐが吸入器９の取扱の適否を知ることができる。
【００３５】
（４）咥え動作を、温度センサ３３ａと光量センサ３３ｂとにより判定するので、利用者Ｐが的確に咥え動作ができたか否かを、各種のセンサによって簡単に判別できる。
（５）吸入動作を、吸入動作時に生じる吸入音によって判定するので、利用者Ｐが的確に吸入動作ができたか否かを、マイク３２によって簡単に判別できる。
（６）吸入音を、基準音と比較することによって吸入動作が的確か否かを判定するので、様々な利用者Ｐの吸入動作に対して判定ができる。
（７）吸入音を、当該利用者Ｐの過去の吸入音である取得音と比較することによって吸入動作が的確であるか否かを判定するので、通常と異なる音である場合には、吸入動作が通常とは異なっており、的確ではないと判定できる。
【００３６】
（第２実施形態）
第２実施形態では、吸入判定装置による判定を、さらに他のデータを用いて行うものについて説明する。なお、以降の説明において、上述した第１実施形態と同様の機能を果たす部分には、同一の符号又は末尾に同一の符号を付して、重複する説明を適宜省略する。
【００３７】
＜吸入判定装置２０１＞
図６は、第２実施形態に係る吸入判定装置２０１を説明するための図である。
図７は、第２実施形態に係る吸入判定装置２０１の機能ブロックを示す図である。
図６（Ａ）及び図６（Ｂ）に示す吸入判定装置２０１は、第１実施形態（図１（Ａ））の吸入判定装置１に相当する部分であるリング装置２０４と、胸帯２０５と、外付け装置２０６とを備える。
【００３８】
図６（Ｂ）に示すように、利用者Ｐは、胸帯２０５を胸回りに装着した状態で、吸い口部９ａにリング装置２０４が設けられた吸入器２０９（図６（Ａ））を用いて吸入動作を行う。胸帯２０５は、吸入確認装置としての機能を有する。
また、吸入動作をした後に、利用者Ｐは、バンド２０６ａによって吸入器２０９に取り付けられた外付け装置２０６に対して呼気を吐き出す。外付け装置２０６は、呼気確認装置としての機能を有する。
そうすることで、吸入判定装置２０１は、吸入器２０９を用いた利用者Ｐの吸入が的確に行われたか否かを判定する。
【００３９】
図７に示すように、リング装置２０４は、制御部２１０と、記憶部２２０と、電源ボタン３０と、スピーカ３１と、マイク３２と、第１センサ部２３３（第１検出部）とを備える。また、胸帯２０５は、第２センサ部２３５（第２検出部）を備え、外付け装置２０６は、第３センサ部２３６を備える。
【００４０】
制御部２１０は、咥え動作判定部１１と、吸入動作判定部２１２（吸入動作判定手段）と、報知部２１３（報知手段）と、取得音記憶制御部１４と、呼気判定部２１５（呼気判定手段）とを備える。
吸入動作判定部２１２は、咥え動作判定部１１により咥え動作が的確であると判定された場合に、利用者Ｐによって次に行われる吸入動作が的確であるか否かを判定する。より具体的には、吸入動作判定部２１２は、例えば、吸入動作に伴って利用者Ｐの口内で発生する音に基づいて、吸入動作が的確であるか否かを判定する。また、吸入動作判定部２１２は、例えば、胸帯２０５に取り付けられた第２センサ部２３５からの検出データに基づいて、吸入動作が的確であるか否かを判定する。
【００４１】
報知部２１３は、咥え動作判定部１１、吸入動作判定部２１２及び、次に説明する呼気判定部２１５による判定結果を、利用者Ｐに対して報知する。
呼気判定部２１５は、吸入動作判定部２１２により吸入動作が的確であると判定された場合に、利用者Ｐによって次に行われる吐き出し動作によって、適切に体内に吸入がされたか否かを判定する。より具体的には、利用者Ｐが、例えば、外付け装置２０６を口の付近に近づけて、利用者Ｐが呼気を吐き出すことにより、呼気判定部２１５は、第３センサ部２３６からの検出データに基づいて、適切に薬剤が体内に吸入がされたか否かを判定する。
【００４２】
記憶部２２０は、制御部２１０を実行するために必要なプログラム、データ等を記憶するための半導体メモリ素子等の記憶領域である。
記憶部２２０は、プログラム記憶部２２１と、基準音記憶部２２と、取得音記憶部２３と、ガイド音声記憶部２４とを備える。
プログラム記憶部２２１は、制御部２１０の各機能を実行するためのプログラムを記憶する記憶領域である。
第１センサ部２３３は、温度センサ３３ａと、光量センサ３３ｂとを備える。
【００４３】
第２センサ部２３５は、圧力センサ２３５ａを備える。
吸入動作によって利用者Ｐの肺に空気が入り、利用者Ｐの胸部が膨らむ。そこで、胸帯２０５に取り付けられた圧力センサ２３５ａは、胸部の圧力を検出し、検出データを制御部２１０に出力する。なお、図示しないが、第２センサ部２３５は、通信機能を有し、例えば、リング装置２０４との間で無線通信によって検出データを送信する。
【００４４】
第３センサ部２３６は、気体判定センサ２３６ａを備える。
気体判定センサ２３６ａは、利用者Ｐが外付け装置２０６に対して呼気を吐き出すことで、呼気に含まれる気体の成分を検出し、検出データを制御部２１０に出力する。ここで、気体判定センサ２３６ａは、例えば、粒子の光散乱を測定する光散乱法を用いる。気体判定センサ２３６ａは、図示しないが、光源と受光部を設け、粒子からの散乱光によって粒子の種類や数を判定する。なお、図示しないが、第３センサ部２３６は、通信機能を有し、例えば、リング装置２０４との間で無線通信によって検出データを送信する。
【００４５】
＜処理の説明＞
次に、吸入判定装置２０１での処理について説明する。
図８は、第２実施形態に係る吸入判定装置２０１のメイン処理を示すフローチャートである。
図９は、第２実施形態に係る吸入判定装置２０１の吸入動作判定処理を示すフローチャートである。
図１０は、第２実施形態に係る吸入判定装置２０１の吐き出し動作判定処理を示すフローチャートである。
【００４６】
まず、本処理を開始する前に、利用者Ｐは、胸帯２０５を、利用者Ｐの胸回りに装着しておく。
次に、吸入判定装置２０１による処理について説明する。
図８のＳ２１０からＳ２１３までは、第１実施形態（図３）のＳ１０からＳ１３までと同様である。なお、Ｓ２１２でＮＯの場合には、制御部２１０は、処理をＳ２１９に移す。
Ｓ２１４において、制御部２１０（吸入動作判定部２１２）は、吸入動作判定処理を行う。
【００４７】
ここで、吸入動作判定処理について、図９に基づき説明する。
図９のＳ２３０からＳ２３４までの処理及びＳ２３８の処理は、第１実施形態（図５）のＳ３０からＳ３４までの処理及びＳ３８の処理と同様である。なお、Ｓ２３４でＮＯの場合及びＳ２３８でＹＥＳの場合は、制御部２１０は、処理をＳ２３９に移す。
Ｓ２３４ａにおいて、制御部２１０（吸入動作判定部２１２）は、圧力センサ２３５ａが検出した検出データである検出値を、圧力センサ２３５ａから取得する。
【００４８】
Ｓ２３４ｂにおいて、制御部２１０（吸入動作判定部２１２）は、検出値による圧力が閾値以上であるか否かを判定する。ここで、利用者Ｐが吸入動作を行った場合には、利用者Ｐの胸回りに取り付けた胸帯２０５内の圧力センサ２３５ａは、利用者Ｐの肺に空気が取り入れられたことによって膨らむため、閾値以上の圧力を検出する。検出の結果、検出値による圧力が閾値以上である場合（Ｓ２３４ｂ：ＹＥＳ）には、制御部２１０は、処理をＳ２３５に移す。他方、検出値による圧力が閾値未満である場合（Ｓ２３４ｂ：ＮＯ）には、制御部２１０は、処理をＳ２３９に移す。
Ｓ２３５、Ｓ２３６及びＳ２３９の処理は、第１実施形態（図５）のＳ３５、Ｓ３６及びＳ３９と同様である。
【００４９】
図８に戻り、Ｓ２１５において、制御部２１０は、吸入動作判定処理によって判定した吸入動作が的確であるか否かを判断する。吸入動作が的確である場合（Ｓ２１５：ＹＥＳ）には、制御部２１０は、処理をＳ２１６に移す。他方、吸入動作が的確ではない場合（Ｓ２１５：ＮＯ）には、制御部２１０は、処理をＳ２１９に移す。
Ｓ２１６において、制御部２１０（報知部２１３）は、ガイド音声記憶部２４に記憶された次の処理のガイド音声を出力する。次の処理のガイド音声は、例えば、「呼気確認装置に呼気を吐き出してください。」といったものである。
この音声を聞いた利用者Ｐは、吸入器２０９の吸い口部９ａを咥えるのをやめて、外付け装置２０６に呼気を吐き出す動作を行う。
Ｓ２１７において、制御部２１０（呼気判定部２１５）は、呼気判定処理を行う。
【００５０】
ここで、呼気判定処理について、図１０に基づき説明する。
図１０のＳ２４０において、制御部２１０は、時間の計測を開始する。
Ｓ２４１において、制御部２１０（呼気判定部２１５）は、気体判定センサ２３６ａが検出した検出データである検出値を、気体判定センサ２３６ａから取得する。
【００５１】
Ｓ２４２において、制御部２１０（呼気判定部２１５）は、検出値による薬剤の含有量が閾値範囲内であるか否かを判定する。ここで、利用者Ｐによる吸入が適切に行われたのであれば、薬剤は利用者Ｐの肺に適切に入った状態になっている。そのため、その後に吐き出した呼気には、薬剤は含まれても少量である。他方、利用者Ｐによる吸入が適切に行われなかった場合には、例えば、薬剤は、利用者Ｐの口の中に残ったままになっている。そのため、その後に吐き出した呼気には、多くの薬剤が含まれ、検出値による薬剤の含有量が閾値範囲を超えたものになる。また、利用者Ｐが吐き出し動作を行っていない場合や、外付け装置２０６に向けて吐き出し動作を行わなかった場合には、薬剤を検出できず、検出値による薬剤の含有量が閾値範囲より少なくなる。検出値による薬剤の含有量が閾値範囲内である場合（Ｓ２４２：ＹＥＳ）には、制御部２１０は、処理をＳ２４３に移す。他方、検出値による薬剤の含有量が閾値範囲内ではない場合（Ｓ２４３：ＮＯ）には、制御部２１０は、処理をＳ２４４に移す。
【００５２】
Ｓ２４３において、制御部２１０（呼気判定部２１５）は、吸入が適切に行われたと判定する。その後、制御部２１０は、本処理を終了し、処理を図８のＳ２１８に移す。
他方、Ｓ２４４において、制御部２１０（呼気判定部２１５）は、第３時間を経過したか否かを判断する。ここで、第３時間とは、利用者Ｐが吸入動作の後に、呼気を吐き出すまでの猶予時間であり、例えば、１０秒等が設定されている。第３時間を経過した場合（Ｓ２４４：ＹＥＳ）には、制御部２１０は、処理をＳ２４５に移す。他方、第３時間を経過していない場合（Ｓ２４４：ＮＯ）には、制御部２１０は、処理をＳ２４１に移す。
Ｓ２４５において、制御部２１０（呼気判定部２１５）は、適切に吸入がされていないと判定する。その後、制御部２１０は、本処理を終了し、処理を図８のＳ２１８に移す。
【００５３】
Ｓ２１８において、制御部２１０は、呼気判定処理によって適切に吸入されたと判定したか否かを判断する。適切に吸入されたと判定した場合（Ｓ２１８：ＹＥＳ）には、制御部２１０は、本処理を終了する。他方、適切に吸入されていないと判定した場合（Ｓ２１８：ＮＯ）には、制御部２１０は、処理をＳ２１９に移す。
Ｓ２１９において、制御部２１０（報知部２１３）は、咥え動作又は吸入動作での処理から遷移された場合には、該当の動作が的確ではない旨を、音声出力によって報知する。また、制御部２１０（報知部２１３）は、吐き出し動作による呼気判定での処理から遷移された場合には、適切に吸入がされていない旨を、音声出力によって通知する。その後、制御部２１０は、本処理を終了する。
【００５４】
このように、第２実施形態によれば、吸入判定装置２０１は、以下のような効果がある。
（１）吸入動作が的確であるかを、さらに胸帯２０５に有する圧力センサ２３５ａによる検出データによって判定する。よって、吸入動作を、利用者Ｐの肺の膨らみ状態によって判定でき、より精度の高い吸入動作の判定ができる。
（２）吸入動作自体が的確であっても、薬剤が適切に利用者Ｐの肺（体内）に入ったか否かを、外付け装置２０６に有する気体判定センサ２３６ａによる検出データによって判定する。よって、薬剤を適切に体内に吸入できたか否かを判定するので、より正確な判定を行うことができる。
【００５５】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００５６】
（変形形態）
（１）第１及び第２実施形態では、判定結果をガイド音声によって報知するものを例に説明したが、これに限定されない。利用者に報知できればよく、例えば、ＬＥＤ部を設けて、光の色によって報知してもよいし、ブザー音等によって報知してもよい。さらに、振動（バイブレーション）等によって報知してもよい。
（２）また、吸入判定装置が、外部装置との間で通信を行うための通信手段を備え、判定結果を、例えば、利用者の携帯情報端末や、医者等の医療従事者の端末等に送信する判定結果送信手段を備えてもよい。利用者の携帯情報端末や、医者等の医療従事者の端末では、受信した判定結果を記憶させることによって、次の診察時に医師が治療をするにあたって参考にできる。
さらに、吸入判定装置が、外部装置との間で通信を行うための通信手段を備え、動作が的確でない場合に、予め設定した利用者の家族の携帯情報端末等にその旨を報知したりするようにしてもよい。動作が的確でない場合に利用者の家族の携帯情報端末に通知することによって、家族による適切な吸入動作の指導を受けることができる。
【００５７】
（３）各実施形態では、咥え動作を判定するものとして、温度センサと光量センサとを用いるものを例に説明したが、これに限定されない。例えば、口で咥えることによる圧力を検出する圧力センサを用いてもよい。また、カメラによる撮影画像を解析することによって、咥えた状態を確認するものであってもよい。
（４）各実施形態では、吸入動作を判定するものとして、取得音を用いるものを例に説明したが、さらに、ジャイロセンサ等のモーションセンサによって、吸入器が正しい姿勢であることを検出するようにしてもよい。
【００５８】
（５）各実施形態では、吸入動作が的確であると判定された場合に、取得音を取得音記憶部に記憶するものを例に説明したが、これに限定されない。マイクから取得した音を、毎回取得音記憶部に記憶し、取得音記憶部に蓄積された音との差分が生じた際に、異常値と判定してもよい。
【００５９】
（６）第２実施形態では、外付け装置を、吸入器に取り付けたものとして説明したが、これに限定されない。吸入器とは別体であってもよい。また、吸入器に取り付けたものであっても、その位置は、第２実施形態のものに限定されない。
（７）第２実施形態では、胸帯に圧力センサを備えて、吸入動作を判定するものとして説明したが、これに限定されない。例えば、胸帯に肺への吸入音を取得する、例えば、聴診器のような装置を備えて、吸入動作を判定してもよい。
【符号の説明】
【００６０】
１，２０１  吸入判定装置
９，２０９    吸入器
９ａ  吸い口部
１０，２１０  制御部
１１  咥え動作判定部
１２，２１２  吸入動作判定部
１３，２１３  報知部
１４  取得音記憶制御部
２０，２２０  記憶部
２２  基準音記憶部
２３  取得音記憶部
２４  ガイド音声記憶部
３１  スピーカ
３２  マイク
３３  センサ部
３３ａ  温度センサ
３３ｂ  光量センサ
２０４  リング装置
２０５  胸帯
２０６  外付け装置
２１５  呼気判定部
２３３  第１センサ部
２３５  第２センサ部
２３５ａ  圧力センサ
２３６  第３センサ部
２３６ａ  気体判定センサ
Ｐ    利用者
【図１】
2020006039.tif 000003
【図２】
2020006039.tif 000004
【図３】
2020006039.tif 000005
【図４】
2020006039.tif 000006
【図５】
2020006039.tif 000007
【図６】
2020006039.tif 000008
【図７】
2020006039.tif 000009
【図８】
2020006039.tif 000010
【図９】
2020006039.tif 000011
【図１０】
2020006039.tif 000012